(57)【要約】【課題】既設の鋼板組立柱の構成要素を利用して、該鋼板組立柱の地際部の補強を低コストおよび短時間で実施することができる鋼板組立柱の地際補強方法を提供する。【解決手段】鋼板製の複数本の中空円筒体１１〜１ｎを一部が重なり合う状態で嵌合連接することにより構成され、最下部に位置される基部中空円筒体１１の一部を地中に埋め込むことによって立設される鋼板組立柱の地際補強方法である。鋼板組立柱における基部中空円筒体１１よりも上方の部位を基部中空円筒体１１から引き抜くステップと、基部中空円筒体１１の上部開口から基部中空円筒体１１内に補強筋６を挿入するステップと、基部中空円筒体１１内に補強用充填材７を投入するステップと、基部中空円筒体１１を利用して鋼板組立柱を再構築するステップとを含む。【選択図】      図４
2004308145.tif 000002
【特許請求の範囲】
【請求項１】
鋼板製の複数本の中空円筒体を一部が重なり合う状態で嵌合連接することにより構成され、最下部に位置される基部中空円筒体の一部を地中に埋め込むことによって立設される鋼板組立柱の地際補強方法であって、
前記鋼板組立柱における基部中空円筒体よりも上方の部位を該基部中空円筒体から引き抜くステップと、
前記基部中空円筒体の上部開口から該基部中空円筒体内に補強筋を挿入するステップと、
前記基部中空円筒体内に補強用充填材を投入するステップと、
前記基部中空円筒体を利用して前記鋼板組立柱を再構築するステップと、を含むことを特徴とする鋼板組立柱の地際補強方法。
【請求項２】
前記補強筋として鉄筋カゴを用いることを特徴とする請求項１に記載の鋼板組立柱の地際補強方法。
【請求項３】
前記充填材としてコンクリートを用いることを特徴とする請求項１に記載の鋼板組立柱の地際補強方法。
【請求項４】
前記充填材として樹脂を用いることを特徴とする請求項１に記載の鋼板組立柱の地際補強方法。
【請求項５】
前記充填材を投入するステップの後に、基部中空円筒体の地際部周面に補修用の塗料を塗布するステップを更に含むことを特徴とする請求項１に記載の鋼板組立柱の地際補強方法。
【発明の詳細な説明】
【０００１】
【発明の属する技術分野】
本発明は、鋼板組立柱の地際を補強する方法に関する。
【０００２】
【従来の技術】
鋼板組立柱は、図７に示すように、高強度の薄肉鋼板からなる複数の中空円筒体１１〜１ｎを嵌合連接することにより構成され、アンテナ、電線、拡声器等の支柱として活用されている。
上記中空円筒体１１〜１ｎは、下端開口から上端開口に向かって徐々に径が小さくなる形状を有し、中空円筒体１１〜１ｎ−１の上端部がそれらの上方に位置する中空円筒体１２〜１ｎの下端部で覆われるように嵌合されている。（例えば、特許文献１参照）。
この鋼板組立柱の最下部に位置した基部中空円筒体１１は、その上部を除く大半の部分が地中に位置される。なお、基部中空円筒体１１の地中部分は、通常、その周囲に設けられたコンクリート製の基礎ブロック２によって支持される。
【０００３】
【特許文献１】
特開平８−３０３０５９号公報
【０００４】
【発明が解決しようとする課題】
ところで、上記基部中空円筒体１１の地際部分は、長期間に亘る風雨の影響、とくに、鋼板組立柱を伝わって流下する水滴の影響によって腐食を生じることが多い。
鋼板組立柱を構成する各中空円筒体１１〜１ｎの表面には、溶融亜鉛めっきが施されているものの、該中空円筒体１１〜１ｎの素材が薄肉（例えば、３〜４ｍｍ）であることから、そのめっきの層厚も薄い。そのため、過酷な湿潤環境下では、上記基部中空円筒体１１の地際部分において錆・腐食が発現することになる。
【０００５】
薄肉である上記基部中空円筒体１１は、上記腐食による侵食がたとえ１ｍｍ程度であっても、その耐力が大きく低減される。そこで、従来においては、安全上の観点から、一定以上の腐食が認められた鋼板組立柱の使用を断念し、それに代わる新たな鋼板組立柱を基礎と共に再構築するようにしている。
しかし、新たな鋼板組立柱の再構築には、既設の鋼板組立柱を地際部分で切断する作業、切断された部位を撤去する作業、地中に残存する基礎（基部中空円筒体１１の残存部分と基礎ブロック２）を撤去する作業、新た基礎の施工作業、等を伴うので、多大の工費と工期を要する。
【０００６】
上記腐食が発生した場合の対策として、基部中空円筒体の腐食部分を補強するための補強材を該基部中空円筒体１１に溶接することが考えられる。しかし、補強材を溶接した場合、母材である薄肉の基部中空円筒体１１が熱的な損傷（例えば、欠損）を受けるため、所定の強度を確保できないことが多い。加えて、基部中空円筒体に施された亜鉛めっきのために溶接作業中に有毒ガスが発生し、それが作業環境を悪化させる虞もある。
【０００７】
また、上記腐食が発生した場合の別の対策として、基部中空円筒体１１の地際部の周囲を鉄筋コンクリートで補強することが考えられる。しかし、この場合、補強コンクリート部に作用する応力を地中の支持構造体に合理的に伝達するために、既設基礎の大幅な変更工事を伴うことになる。したがって、このような対策は工費および工期の面から実用性に乏しい。
【０００８】
本発明は、このような状況に鑑み、既設の鋼板組立柱の構成要素を利用して、該鋼板組立柱の地際部の補強を低コストおよび短時間で実施することができる鋼板組立柱の地際補強方法を提供することを目的としている。
【０００９】
【課題を解決するための手段】
本発明は、鋼板製の複数本の中空円筒体を一部が重なり合う状態で嵌合連接することにより構成され、最下部に位置される基部中空円筒体の一部を地中に埋め込むことによって立設される鋼板組立柱の地際補強方法であって、前記鋼板組立柱における基部中空円筒体よりも上方の部位を該基部中空円筒体から引き抜くステップと、前記基部中空円筒体の上部開口から該基部中空円筒体内に補強筋を挿入するステップと、前記基部中空円筒体内に補強用充填材を投入するステップと、前記基部中空円筒体を利用して前記鋼板組立柱を再構築するステップと、を含むことを特徴としている。
【００１０】
前記補強筋として鉄筋カゴを用いることにより、作業の容易化と作業時間の短縮化を一層図ることができる。また、前記充填材として、コンクリートや樹脂を用いることができる。
前記充填材の投入後に、基部中空円筒体の地際部周面に補修用の塗料を塗布して、腐食の進行の阻止と美観の向上を図ることが望ましい。
【００１１】
【発明の実施の形態】
【実施の形態】
以下、図１〜図６を参照して本発明に係る鋼板組立柱の地際補強方法を説明する。なお、これらの図においては、図７に示した要素と共通する要素に同一の符号を付してある。
鋼板組立柱の基本構成は、図７を用いて説明したとおりであるので、ここでは、その構成についての説明を省略する。
【００１２】
図１において、鋼板組立柱の最下部に位置した基部中空円筒体１１は、その上部を除いた大半の部分が地中に埋め込まれ、その地中部分がコンクリート製の基礎ブロック２によって支持されている。
鋼板組立柱の地際、つまり、上記基部中空円筒体１１の地際には、前述したように腐食等の欠陥３を発生することが多い。本発明の実施の形態では、上記地際に欠陥３が生じた鋼板組立柱に対して以下のような補強手順が実行される。
【００１３】
（１）  地際近傍に位置した中空円筒体１２に巻かれたステンレスバンド等の取付金具４を取り外して、接地線５を開放する。
（２）  図２に示すように、接地線５を分断した後、図示していないクレーン車等を用いて鋼板組立柱における基部中空円筒体１１よりも上方の部位を該基部中空円筒体１１から引き抜く。
（３）  図３に示すように、基部中空円筒体１１の上部開口から該基部中空円筒体１１内に鉄筋カゴ６を挿入する。
（４）  図４に示すように、基部中空円筒体１１の上部開口からコンクリート等の充填材７を投入して、該基部中空円筒体１１内に充填する。
（５）  充填材７の固化後、図５に示すように、基部中空円筒体１１を利用して鋼板組立柱を再構築する。
すなわち、上記工程（２）において引き抜かれた上方部位に劣化や仕様変更の必要性等がない場合には、この上方部位を再利用して鋼板組立柱を再構築する。また、上記引き抜かれた上方部位に劣化や仕様変更の必要性等がある場合には、新規な上方部位形成用の中空円筒体を用いて鋼板組立柱を再構築する。
（６）  ハケ８等の手段により基部中空円筒体１１の地際部分の外表面に適宜な塗料（例えば、ローバル塗料およびタールエポキシ塗料）を塗装して、欠陥３を補修する。
（７）  図６に示すように、接地線５を接続しかつ取付金具４によって該接地線５を中空円筒体１２に取り付ける。
【００１４】
以上のように実施されるこの実施の形態に係る鋼板組立柱の地際補強方法によれば、短時間で補強作業が終了する。また、使用材料が鉄筋カゴ６、基部中空円筒体１１の内容積２に対応する量の充填材７および僅かな量の補修用塗料であることから、材料コストも抑制される。したがって、新たな鋼板組立柱を構築する場合に比べて、大幅に費用が低減されることになる。しかも、作業が低所で行われることから、作業の安全性も高い。
【００１５】
上記実施の形態では、補強筋として鉄筋カゴ６を使用しているが、これに代えて、他の適宜な配筋材を使用しても良い。ただし、鉄筋カゴ６を使用すれば、作業性が向上する。また、上記実施の形態では、基部中空円筒体１１内に投入する補強用充填材７としてコンクリートを使用しているが、これに代えて、エポキシ樹脂等の樹脂を用いた充填材を適用してもよい。要するに、補強用充填材７としては、充填後に比較的短時間で固化し、かつ、必要な強度が得られるものであれば、種々のものを適用することができる。
なお、上記実施の形態に係る方法は、基部中空円筒体１１を地中に直接埋設した鋼板組立柱、つまり、前記基礎ブロック２を用いない鋼板組立柱にも適用可能である。
【００１６】
【発明の効果】
本発明に係る鋼板組立柱の地際補強方法は、既設の鋼板組立柱の構成要素を利用して実施されるので、新たな鋼板組立柱を構築する場合に比して、工費および工期を大幅に低減することができる。また、基部中空円筒体内に補強筋と補強用充填材からなる強固なブロックが介在することになるので、万一、補強処置後に基部中空円筒体の地際部の腐食が進行したとしても、この地際部の強度を長期間安定に維持することができる。
【図面の簡単な説明】
【図１】鋼板組立柱の地際部位周辺を拡大して示す概略図である。
【図２】鋼板組立柱における基部円筒体よりも上方の部位を該基部円筒体から引き抜いた状態を示す概略図である。
【図３】基部円筒体に鉄筋カゴを挿入している状態を示す概略図である。
【図４】基部円筒体にコンクリートを投入している状態を示す概略図である。
【図５】鋼板組立柱における基部円筒体よりも上方の部位を該基部円筒体に嵌合させている状態を示す概略図である。
【図６】補強が終了した鋼板組立柱の地際部を示す概略図である。
【図７】鋼板組立柱の構成を例示した概念図である。
【符号の説明】
１１〜１ｎ  中空円筒体
２  基礎ブロック
３  欠陥
４  取付金具
５  アース線
６  鉄筋カゴ
７  充填材
【図１】
2004308145.tif 000003
【図２】
2004308145.tif 000004
【図３】
2004308145.tif 000005
【図４】
2004308145.tif 000006
【図５】
2004308145.tif 000007
【図６】
2004308145.tif 000008
【図７】
2004308145.tif 000009